(57)【要約】  本発明は、３次元３Ｄ印刷により作成されるモデルから樹脂残渣を取り除く方法に関する。この方法は、３次元３Ｄ印刷を通して３次元モデルを作成するステップと、３次元モデルをコンテナ（１０）に挿入するステップと、溶媒（２４）をコンテナ（１０）に導入するステップと、繰返しの直線運動により、溶媒（２４）が導入されたコンテナ（１０）と、３次元モデルとを移動させるステップとを含む。さらに、本発明は、３次元３Ｄ印刷を通して作成されるモデルから樹脂残渣を取り除くためのコンテナ（１０）に関する。コンテナ（１０）は、溶媒（２４）を含むように構成されるタンク（２０）と、タンク（２０）を閉止するように構成されるカバー（３０）と、タンク（２０）とカバー（３０）を封止する手段（３８）とを備える。カバー（３０）は、３次元モデル用の１以上の固定要素（３４）を含む３次元３Ｄプリンタの基部（３２）を含むか、該基部（３２）そのものである。【選択図】図３
2020508243.tif 000002
【特許請求の範囲】
【請求項１】
３次元３Ｄ印刷により作成されるモデルから樹脂残渣を取り除く方法であって、
３次元３Ｄ印刷を通して３次元モデルを作成するステップと、
前記３次元モデルをコンテナ（１０）に挿入するステップと、
溶媒（２４）を前記コンテナ（１０）に導入するステップと、
繰返しの直線運動により、前記溶媒（２４）が導入されたコンテナ（１０）と、前記３次元モデルとを移動させるステップと、
を含む方法。
【請求項２】
請求項１に記載の方法において、
前記溶媒（２４）をコンテナ（１０）に導入するステップは、前記コンテナ（１０）の内容積の多くても１／３の溶媒（２４）を導入するステップを含む、
方法。
【請求項３】
請求項１又は請求項２に記載の方法において、
前記溶媒（２４）は、アルコールを含む、
方法。
【請求項４】
請求項１から請求項３のいずれか一項に記載の方法において、
前記３次元３Ｄ印刷を通して３次元モデルを作成するステップは、ステレオリソグラフィ、好ましくは、レーザ走査ステレオリソグラフィにより３次元モデルを作成するステップを含む、
方法。
【請求項５】
請求項１から請求項４のいずれか一項に記載の方法において、
前記３次元モデルを作成するステップは、歯又は歯の一部の３次元モデルを作成するステップを含む、
方法。
【請求項６】
請求項１から請求項５のいずれか一項に記載の方法において、
前記コンテナ（１０）を移動する前に該コンテナを封止するステップをさらに含む、
方法。
【請求項７】
請求項１から請求項６のいずれか一項に記載の方法において、
前記直線運動は、１以上の軸に沿って行われる、
方法。
【請求項８】
請求項７に記載の方法において、
前記軸は、垂直軸と、該垂直軸から４５°で配置される軸との間で規定される角度内に含まれる、
方法。
【請求項９】
請求項１から請求項８のいずれか一項に記載の方法において、
前記繰返しの直線運動は、前記コンテナの高さの０．５〜１．５倍の間の振幅を有する、
方法。
【請求項１０】
請求項１から請求項９のいずれか一項に記載の方法において、
前記繰返しの直線運動は、３０秒〜１２０秒の周期を有する、
方法。
【請求項１１】
請求項１から請求項１０のいずれか一項に記載の方法において、
前記繰返しの直線運動は、毎分６０〜１８０回運動の振動数を有する、
方法。
【請求項１２】
請求項１から請求項１１のいずれか一項に記載の方法において、
前記コンテナ（１０）を移動する前に該コンテナ（１０）に不可欠な前記３次元モデルを作成するステップを含む、
方法。
【請求項１３】
３次元３Ｄ印刷を通して作成されるモデルから樹脂残渣を取り除くためのコンテナ（１０）であって、
溶媒（２４）を含むように構成されるタンク（２０）と、
前記タンク（２０）を閉止するように構成され、３次元モデル用の１以上の固定要素を含む３次元３Ｄプリンタの基部（３２）を含むか、該基部（３２）そのものであるカバー（３０）と、
前記タンク（２０）と前記カバー（３０）とを封止する手段（３８）と、
少なくとも１つのハンドル（１２０ａ）が、それぞれ溶媒（２４）を導入し、あるいは、前記タンク（２０）から該溶媒（２４）を取り除くための前記タンク（２０）の外側の入口又は出口、及び前記タンク（２０）の内側の出口又は入口を有する導管（１２２）を備える１以上のハンドル（１２０ａ）と
を備える、コンテナ（１０）。
【請求項１４】
請求項１３に記載のコンテナ（１０）において、
前記カバー（３０）を前記タンク（２０）に固定すると、前記複数の固定要素（３４）は、前記タンク（２０）の内側に向けられる、
コンテナ（１０）。
【請求項１５】
請求項１３又は請求項１４に記載のコンテナ（１０）において、
前記カバー（３０）は、前記３次元３Ｄプリンタの前記基部（３２）を受けて密閉するように構成されるアダプタ（３５）を含む、
コンテナ（１０）。
【発明の詳細な説明】
【技術分野】
【０００１】
本発明は、３次元３Ｄ印刷により作成されるモデルから樹脂残渣を取り除く方法に関する。
本発明は、さらに、３次元３Ｄ印刷により作成されるモデルから樹脂残渣を取り除くためのコンテナ（容器）に関する。
【背景技術】
【０００２】
本明細書及び以下の特許請求の範囲における用語「３次元３Ｄ印刷」及び「３次元３Ｄプリンタ」は、複数の重畳層により３次元オブジェクトを作成する技術に関する。複数の重畳層では、生成すべきオブジェクトの容積に対応する領域における液状物質の選択的固化により、各層を得る。
【０００３】
特に、本明細書及び以下の特許請求の範囲では、３次元３Ｄ印刷は、例えば、レーザ走査ステレオリソグラフィなどのステレオリソグラフィ、デジタル光処理（ＤＬＰ：登録商標）のような商業的な公知技術、「Stratasys社のObjet」や「3D Systems社のmultijet」のような商業的な公知技術やSolidscape社により用いられる技術などの「マルチ噴射モデリング」であればよい。
【０００４】
本明細書及び以下の特許請求の範囲では、そのような３次元オブジェクトを「３次元モデル」又は単に「モデル」と表す。特に、３次元オブジェクトが歯、歯の一部、歯科補綴物の要素などである限定的ではない場合を参照する。
【０００５】
公知の３次元３Ｄプリンタは、液状物質、一般的に、液状又はペースト状の感光性樹脂が入ったコンテナを備える。
【０００６】
その装置は、一般的に自発光型の光源をさらに備える。光源は、液状物質（感光性樹脂の重合ともいう）を固化するように構成される放射線を放射する。
【０００７】
光ユニットは、コンテナ内に配置した基準面に向けて前記放射線を伝える。基準面は、固化すべき層の位置に対応する。
【０００８】
モデリング基部又はプレートにより、３次元オブジェクトを形成することをサポートする。オブジェクトの最後に固化した層を前記基準面に近接した位置に配置することができるように、モデリング基部又はプレートは、コンテナに対して垂直に移動可能である。
【０００９】
このように、各層を固化した後、再度基準面に近接して固化した層を配置するように、モデリング基部を移動するとすぐ、次の層のための処理を繰り返すことができる。
【００１０】
典型的に、３次元オブジェクトは、複数の固定要素により、モデリング基部に固定される。３次元オブジェクトを形成すると、固定要素は、３次元３Ｄプリンタから着脱可能である。
【００１１】
モデリング基部から得た３次元オブジェクトを外す前に、液状物質の残渣、典型的には、液状又はペースト状で感光性樹脂の残渣、すなわち、固化してない（重合してない）感光性樹脂を取り除くことは、（特に、歯科部門では）適切であり、必要なことである。
【００１２】
そのような残渣を取り除くために、実質的に２つの手段が知られている。
【００１３】
第１の手段では、圧縮空気の噴射を利用する。しかしながら、この手段は、３次元オブジェクトの表面にダメージを与え得るという欠点を有する。
【００１４】
第２の手段では、適当な溶媒、典型的には、溶媒が満たされたタンク内への３次元オブジェクトの入浴を利用する。そのような手段は、溶媒の著しい消費や事前入浴時間を待つ必要性という欠点を有する。しかしながら、この手段は、所望する残渣の完全除去を常に保障するものではない。
【発明の概要】
【発明が解決しようとする課題】
【００１５】
本発明の課題は、上述の欠点を克服する３次元３Ｄ印刷により得られるモデルから樹脂残渣を取り除く方法であって、除去の質を高め、除去回数を少なくすることを保障する方法を提供することにある。
【課題を解決するための手段】
【００１６】
したがって、第１の態様の本発明は、３次元３Ｄ印刷により作成されるモデルから樹脂残渣を取り除く方法に関する。その方法は、
３次元３Ｄ印刷を通して３次元モデルを作成するステップと、
３次元モデルをコンテナに挿入するステップと、
溶媒をコンテナに導入するステップと、
繰返しの直線運動により、溶媒が導入されたコンテナと、３次元モデルとを移動させるステップと、
を含む。
【００１７】
したがって、本発明によれば、例えば、先行技術に係る複数の層に重合される適当な樹脂によって作られた３次元モデルは、適当な３次元３Ｄプリンタにより作成される。好ましくは、３次元モデルを作成するとき、この３次元モデルは、３次元３Ｄプリンタの一部である基部に固定される。
【００１８】
まだ液状又はペースト状である樹脂で、このように作成したモデルをカバーする。この樹脂は、重合されておらず、取り除く必要がない。モデルが多くの穴やくぼむなどを含めば含むほど、あるいは、比較的複雑な形状を有すれば有するほど、樹脂残渣が多くなるであろう。
【００１９】
好ましくは、モデルが固定されたのと同じ基部とともに、該モデルをコンテナに挿入する。このコンテナは、別の要素であってもよく、あるいは、装置の一部であってもよい。
【００２０】
適当な溶媒をコンテナに挿入する。その溶媒は、重合した樹脂のタイプに依存する。モデルから樹脂を取り除く能力のために、その溶媒を選択する。
【００２１】
そして、コンテナは、複数の直線運動により移動する。手により、すなわち、手動でコンテナをかき混ぜるユーザにより、その運動を付与することができる。あるいは、特に、コンテナがより複雑な装置の一部であるとき、その装置によって自動的にその運動を付与することができる。手により運動を実行することもできるので、「直線運動」は、機械だけではなく人間の操作者によっても行われる運動に利用可能な精度で直線性を得ることができる運動として理解すべきである。したがって、その運動は、不本意に、完全な直線性からわずかに外れてもよい。すなわち、運動は、わずかに曲がり得る。そのため、「直線（linear）」は、本明細書では、人間の操作者であろうと機械であろうと、その運動のアクチュエータにより与えられる「可能な限り直線的（線形の）」運動を意味する。したがって、直線性からの偏差が存在する可能性があるが、好ましくは、全体の運動の主方向よりも小さい。
【００２２】
自動作動と手動作動の間の選択は、中でも、残存樹脂を取り除くべきモデルの寸法や重量に依存する。
【００２３】
作動は、複数の直線運動、すなわち、ある軸に沿った運動を含む。直線運動は、同じ軸に沿ったものとは限らない。
【００２４】
好ましくは、その運動は、垂直軸（座標軸系のＺ軸）と、該垂直軸に対して４５°で配置される軸とにより規定される角度内に含まれる軸に沿って発生する。好ましくは、最適な洗浄のために、０°〜４５°（ここで、０°は垂直軸である）の範囲の角度に位置する１つの軸に沿って、あるいは、常に同じ角度内の複数の軸に沿って、すべての直線運動を実行する。
【００２５】
実質的に、コンテナは、「振動（shaking）」を受けることにより、コンテナに導入され、重力によりその底部に存在する溶媒は、モデルを濡らし、直線作動による一定の力で底部上をスライドすることができる。
【００２６】
出願人は、この作動及び「噴射」における溶媒の結果としての入浴により、モデルから樹脂残渣を適切に除去することができることを発見した。
【００２７】
また、好適な角度内の軸に沿った運動の方向は、モデルをきれいにするために重力を利用する。
【００２８】
有利に、繰返しの直線運動で移動するコンテナの提供のおかげで、モデルからの樹脂残渣の広範囲の除去を短時間で得ることができる。
【００２９】
また、モデルは、表面的にはダメージを受けておらず、コンテナの繰返しの直線運動中、簡単にすすがれる。
【００３０】
さらに、コンテナに導入される溶媒は、溶媒で満たしたタンク内に３次元オブジェクトを入浴させる先行技術で提供されるものよりも著しく少ない。
【００３１】
以下、本発明に係る３次元３Ｄ印刷により作成されるモデルから樹脂残渣を取り除く方法の好ましい特徴を説明する。これらの特徴は、独立して、あるいは、互いに組み合わせて設けることができる。
【００３２】
好ましくは、溶媒をコンテナに導入するステップは、コンテナの内容積の多くても１／３の溶媒を導入するステップを含む。より好ましくは、溶媒は、コンテナの内容積の１／５〜１／３の間だけ満たされる。出願人は、この減少した溶媒量によって、モデルから樹脂残渣を適切に除去することができるのに十分であることが分かった。
【００３３】
好ましくは、前記溶媒は、アルコールを含む。
【００３４】
有利に、それは、無害で安価な溶媒である。
【００３５】
好ましくは、３次元３Ｄ印刷を通して３次元モデルを作成するステップは、ステレオリソグラフィ、より好ましくは、レーザ走査ステレオリソグラフィにより３次元モデルを作成するステップを含む。
【００３６】
より好ましくは、３次元モデルを作成するステップは、歯又は歯の一部の３次元モデルを作成するステップを含む。
【００３７】
有利に、ステレオリソグラフィ、特に、レーザ走査ステレオリソグラフィが既に周知技術であり、特に、歯科部門によく適している。
【００３８】
好ましくは、本発明に係る方法は、前記コンテナを移動する前に該コンテナを封止するステップを含む。
【００３９】
有利に、このように、溶媒は、その繰返しの直線運動中でもコンテナに残存する。
【００４０】
好ましくは、前記直線運動は、１以上の軸に沿って行われる。
【００４１】
好ましくは、直線運動は、コンテナの高さの０．５〜１．５倍の間の振幅を有する。
【００４２】
より好ましくは、前記繰返しの直線運動は、少なくとも３０ｃｍの振幅を有する。例えば、その振幅は、およそ４０ｃｍである。
【００４３】
その振幅は、直線運動の端点間の距離であり、コンテナは、その移動方向を反転する前に停止する。
【００４４】
より好ましくは、前記繰返しの直線運動は、３０秒〜１２０秒の周期（期間）を有する。
【００４５】
さらにより好ましくは、前記繰返しの直線運動は、少なくとも毎分２０回移動の振動数を有する。例えば、その振動数は、毎分６０〜１８０回移動である。（前進及び後進）の直線運動を往復移動する場合には、振動数は、およそ毎分３０〜９０回往復運動（前進及び後進）に対応する。
【００４６】
有利に、直線運動は、それを手動で実行するユーザにとって習得するのは容易であるか、自動作動装置により容易に達成される。
【００４７】
これらの振動数レンジ内の直線運動により、特に、形状へのダメージを避け、変形、膨張、又は破損のリスクを最小化するなどのモデルの完全性を保護しつつ、徹底的な洗浄をすることができる。より詳細には、上述の直線運動は、特定のパラメータ内で速度及び加速度を維持しつつ、モデル破損のリスクを低減する。また、好ましくは、モデルの変形や膨張が溶媒とモデルとの接触時間に関連するので、上述のように、モデルと溶媒との接触時間も選択する（接触時間は、直線運動の周期及び振動数に依存する）。いずれの場合でも、破損、膨張、及び変形は、互いに関係がある。なぜならば、接触時間が長いほど、モデルが壊れやすくなり、「振動」によるモデルの運動がより危険になるためである。
【００４８】
好ましくは、本発明に係る方法は、コンテナを移動する前に該コンテナに不可欠なモデルを作成するステップを含む。
【００４９】
有利に、モデルは、コンテナに付与される繰返しの直線運動中、該コンテナの内壁に対してダメージを受けない。
【００５０】
第２の態様では、本発明は、３次元３Ｄ印刷により作成されるモデルから樹脂残渣を取り除くためのコンテナに関する。該コンテナは、
溶媒を含むように構成されるタンクと、
タンクを閉止するように構成され、３次元モデル用の１以上の固定要素を含む３次元３Ｄプリンタの基部を含むか、該基部そのものであるカバーと、
タンクとカバーとを封止する手段と、
を含む。
【００５１】
本発明の第２の態様に係るコンテナは、本発明の第１の態様に係る方法を実施するために用いられてもよい。したがって、上述のすべての利点を達成することができる。
【００５２】
以下、本発明に係る３次元３Ｄ印刷により作成されるモデルから樹脂残渣を取り除くためのコンテナの好適な特徴を説明する。コンテナは、個別に、あるいは、互いに組み合わせて設けることができる。
【００５３】
好ましくは、固定要素は、カバーをタンクに固定すると、タンクの内側に向けられる。
【００５４】
有利に、固定要素に固定したモデルは、このように、タンクの内側に向けられる。
【００５５】
好ましくは、カバーは、３次元３Ｄプリンタの基部を受けて密閉するように構成されるアダプタを含む。
【００５６】
有利に、アダプタにより、樹脂残渣を取り除くべきモデルを生む３次元３Ｄプリンタの基部の素早い係合／解放を可能にする。
【００５７】
好ましくは、本発明に係るコンテナは、１つ以上のハンドルを含む。該ハンドルの少なくとも１つは、それぞれ、タンクに対して、溶媒を導入したり、取り除いたりするための、前記タンクの外側の入口又は出口と、前記タンクの内側の出口又は入口とを有する導管を備える。
【００５８】
有利に、ハンドルは、特に、コンテナに付与される繰返しの直線運動中、コンテナの確実なグリップを可能にする。好ましくは、導管は、ハンドルの１つに有利に組み込まれる。
【図面の簡単な説明】
【００５９】
本発明の更なる特徴及び利点は、添付図面を参照してなされる好適実施形態の記述からより明らかになるであろう。
【図１】本発明に係る３次元３Ｄ印刷により作成されるモデルから樹脂残渣を取り除くためのコンテナの第１実施形態の横立面図である。
【図２】図１のコンテナの平面図である。
【図３】図１のコンテナの分解斜視図である。
【図４】本発明に係る３次元３Ｄ印刷により作成されるモデルから樹脂残渣を取り除くためのコンテナの第２実施形態の横立面図である。
【図５】図４のコンテナの平面図である。
【図６】図４のコンテナの平面図である。
【発明を実施するための形態】
【００６０】
まず、図１〜図３を参照する。参照符号１０は、本発明に係る３次元３Ｄ印刷により作成されるモデル（図示せず）から樹脂残渣を取り除くためのコンテナ（容器）の第１実施形態を全体として示す。
【００６１】
コンテナ１０は、タンク２０と、カバー３０とを含む。カバー３０は、タンク２０の上部開口２２を閉止するよう構成される。
【００６２】
カバー３０は、３次元３Ｄプリンタ（図示せず）の基部３２を含む。好ましくは、基部３２は、ステレオリソグラフィ装置、より好ましくは、レーザ走査型の基部である。
【００６３】
基部３２は、３次元３Ｄプリンタ内に形成されるモデルを生む。３次元３Ｄプリンタは、固定要素３４により、基部３２に固定される。
【００６４】
固定要素３４は、基部３２の実質的な平面部３６から延伸する。特に、固定要素３４は、カバー３０がタンク２０に固定されるとき（図１）、タンク２０の内側に向けられる。固定要素３４は、実質的に四辺形の部分、例えば、長方形の部分を持つ実質的に円筒形の形状を有する。
【００６５】
タンク２０は、実質的に楕円形の基部を持つ実質的に円筒形の形状を有する。タンク２０には、溶媒２４、例えばアルコール、特に、エチルアルコールが注がれる。
【００６６】
カバー３０とタンク２０との間には、封止手段３８が設けられる。封止手段３８は、例えば、タンク２０の上部開口２２端部２２ａに位置する環状ガスケット３９である。
【００６７】
カバー３０は、実質的な平面部３１を含む。カバー３０上には、貫通口３３が形成される。
【００６８】
カバー３０は、基部３２を受けて密閉するように構成されるアダプタ３５を含む。
【００６９】
アダプタ３５は、貫通口３３において、実質的な平面部３１から延伸する。特に、アダプタ３５は、カバー３０をタンク２０（図１）に固定すると、タンク２０の内側に向けられる。アダプタ３５は、実質的に円筒形の形状と、固定要素３４の部分に連結される実質的に四辺形の部分（例えば、長方形の部分）とを有する。固定要素３４は、アダプタ３５内に挿入可能である（図１）。
【００７０】
このように、固定要素３４とアダプタ３５の間には、形状継手（shape coupling）が設けられる。
【００７１】
固定要素３４の挿入及び抜き取りをさらに容易にするために、カバー３０をタンク２０に固定するとき、タンク２０の内側に向かう方向に先細になるように、固定要素３４とアダプタ３５の壁をわずかに傾けることができる。
【００７２】
カバー３０及び基部３２は、それぞれ、把持付属部３０ａ、３２ａを備える。
【００７３】
本発明の第２実施形態を図４〜図６に示す。これらの図では、図１〜図３に示す第１実施形態を参照してすでに説明したものと構造的又は機能的に同等の要素は、同じ参照符号で示す。
【００７４】
この第２実施形態では、コンテナ１０のカバー３０は、実質的に、３次元３Ｄプリンタ（図示せず）の基部３２である。このため、本発明の第１実施形態の代わりの場合のように、アダプタ３５の存在は必要ではない。
【００７５】
タンク２０は、実質的に円形の基部を備える実質的に円筒形の形状を有する。
【００７６】
基部３２とタンク２０の間には、封止手段３８が設けられる。一対の相互に反対に回転可能なレバー１４０は、タンク２０の上部開口２２の端部２２ａに近接して載置される。該レバー１４０は、タンクに対して、基部３２を施解錠（固定／解放）する。
【００７７】
カバー３０は、把持付属部３０ａを備える。
【００７８】
タンク２０は、タンク２０に対して長手方向に延伸し、互いに対向する２つのハンドル１２０ａを含む。
【００７９】
２つのハンドル１２０ａの一方は、タンク２０の外側の入口と、前記タンク２０の内側の出口又は入口とを有する導管１２２を備える。外側の入口は、着脱可能なプラグ１２４により閉止される。内側の出口又は入口は、タンク２０に対して、溶媒２４を導入又は取り除くためのものである。
【００８０】
動作において、３次元３Ｄ印刷により作成されるモデルから樹脂残渣を取り除く方法は、例えば、ステレオリソグラフィ、特に、レーザ走査ステレオリソグラフィにより実施される。３次元モデルは、歯又は歯の一部であってもよい。
【００８１】
まず、３次元３Ｄ印刷により３次元モデルを作成し、その後、樹脂残渣を取り除くべきモデルを生む３次元３Ｄプリンタの基部３２を抽出する。
【００８２】
基部３２は、コンテナ１０のカバー３０に関連付けられ（図１〜図３に示す第１実施形態）、あるいは、それ自身がコンテナ１０のカバー３０を構成する（図４〜図６に示す第２実施形態）。
【００８３】
基部３２により、３次元モデルをコンテナ１０に挿入する。基部３２は、コンテナ１０のタンク２０にとって不可欠となる。そのため、３次元モデルも、コンテナ１０にとって不可欠となる。
【００８４】
図４〜図６に示す第２実施形態の場合には、好ましくは、基部３２が３次元３Ｄプリンタ内にまだあるとき、樹脂がモデルから３次元３Ｄプリンタの外部や作業場に滴るのを防ぐように、タンク２０は、基部３２に係合される。
【００８５】
カバー３０及びタンク２０は、封止手段３８により互いに封止される。
【００８６】
コンテナ１０には、溶媒２４が導入される。好ましくは、溶媒２４は、コンテナ１０の内容積の１／３未満だけ満たされる。より好ましくは、溶媒２４は、コンテナ１０の内容積の１／５未満だけ満たされる。なおより好ましくは、溶媒２４は、コンテナ１０の内容積のおよそ１／１０だけ満たされる。例えば、およそ２００ｍｌ〜３００ｍｌの間の量の溶媒２４を使用可能である。
【００８７】
そして、繰返しの直線運動により、溶媒２４及びモデルを含むコンテナ１０を動かす。
【００８８】
１以上の軸に沿って、そのような直線運動を実行する。手により、すなわち、手動でコンテナ１０をかき混ぜるユーザによりその作動を行うことができる。あるいは、特に、コンテナ１０がより複雑な装置の一部であるとき、その装置により自動的にその作動を行うことができる。
【００８９】
好ましくは、繰返しの直線運動は、
少なくとも３０ｃｍの振幅（例えば、振幅は、およそ４０ｃｍに等しい）と、
少なくとも３分の周期（例えば、周期は、およそ４分である）と、
少なくとも毎分２０回移動の振動数（例えば、振動数は、およそ毎分３０回移動である）と、
を有する。
【００９０】
コンテナ１０を含む要素、すなわち、タンク２０及びカバー３０は再利用可能であり、基部３２も同様に、再利用可能である。
【００９１】
明らかに、特定の及び不定の（偶発的な）要件を満たすために、当業者は、それによって以下の特許請求の範囲に規定される保護範囲から逸脱することなく、本発明に係る３次元３Ｄ印刷により作成されるモデルから樹脂残渣を取り除く方法及びコンテナに対して、多くの修正や変形を加えてもよい。
【図１】
2020508243.tif 000003
【図２】
2020508243.tif 000004
【図３】
2020508243.tif 000005
【図４】
2020508243.tif 000006
【図５】
2020508243.tif 000007
【図６】
2020508243.tif 000008
【国際調査報告】
2020508243.tif 000009
2020508243.tif 000010
2020508243.tif 000011